(57)【特許請求の範囲】
【請求項１】
筐体上部に設けられた吹出し口と、
前記吹出し口の上方に回転可能に設けられ、前記吹出し口から吹き出す乾燥空気の風向を変更する風向変更ルーバーと、
前記筐体上部に設けられ、端部に向けて下方に傾斜し、前記風向変更ルーバーによって前記筐体上部に沿って進む乾燥空気がコアンダ効果を受けて下方へ吹き出す気流を形成する助走壁とを備えることを特徴とする除湿機。
【請求項２】
前記吹出し口の側方で且つ前記助走壁の反対側に設けられ、前記風向変更ルーバーの回転軌跡に沿って起立した吹出し口ダクト壁面部を更に備えることを特徴とする請求項１記載の除湿機。
【請求項３】
前記風向変更ルーバーの回転角度が９０度より大きいことを特徴とする請求項１又は請求項２記載の除湿機。
【請求項４】
前記助走壁の下方に配置され、除湿対象の空気を吸い込む吸込み口を更に備えることを特徴とする請求項１から請求項３のいずれか一項に記載の除湿機。
【請求項５】
前記助走壁は上方に突出した湾曲面形状を有することを特徴とする請求項１から請求項４のいずれか一項に記載の除湿機。
【請求項６】
前記風向変更ルーバーは前記助走壁と相対する面を備えていることを特徴とする請求項１から請求項５のいずれか一項に記載の除湿機。
【請求項７】
前記風向変更ルーバーは２枚のベーンで構成されていることを特徴とする請求項１から請求項６のいずれか一項に記載の除湿機。
【請求項８】
前記風向変更ルーバーは略水平に位置している場合の吹出し口側に配置されるベーンがもう一方のベーンに比べて面積が大きいことを特徴とする請求項７記載の除湿機。
【請求項９】
前記吹出し口を介して前記助走壁の反対側に設けられ、前記風向変更ルーバーの回転角度を制御する操作部を更に備えることを特徴とする請求項１から請求項８のいずれか一項に記載の除湿機。
【請求項１０】
筐体上部に設けられた吹出し口と、
前記吹出し口の上方に回転可能に設けられ、前記吹出し口から吹き出す空気の風向を変更する風向変更ルーバーと、
前記筐体上部に設けられ、端部に向けて下方に傾斜し、前記風向変更ルーバーによって前記筐体上部に沿って進む空気がコアンダ効果を受けて下方へ吹き出す気流を形成する助走壁とを備えることを特徴とする吹出し口装置。
【請求項１１】
筐体上部に設けられた吹出し口と、
前記吹出し口の上方に回転可能に設けられ、前記吹出し口から吹き出す空気の風向を変更する風向変更ルーバーと、
前記筐体上部に設けられ、端部に向けて下方に傾斜し、前記風向変更ルーバーによって前記筐体上部に沿って進む空気がコアンダ効果を受けて下方へ吹き出す気流を形成する助走壁と、
前記助走壁の下方に配置され、除湿対象の空気を吸い込む吸込み口と、
前記吹出し口を介し前記吸込み口の反対側に設けられた操作部と、
を有する吹出し口装置。
【請求項１２】
筐体上部に設けられた吹出し口と、
前記吹出し口の上方に回転可能に設けられ、前記吹出し口から吹き出す空気の風向を変更する風向変更ルーバーと、
前記筐体上部に設けられ、端部に向けて下方に傾斜し、前記風向変更ルーバーによって前記筐体上部に沿って進む空気がコアンダ効果を受けて下方へ吹き出す気流を形成する助走壁と、
前記前記吹出し口を介し前記助走壁の反対側に設けられた操作部と、
を有する吹出し口装置。
【発明の詳細な説明】
【０００１】
【発明の属する技術分野】
本発明は、空気中の水分を除湿する除湿機に関するものである。
【０００２】
【従来の技術】
従来、このような分野の技術としては、特開平５−１４１７０５号公報のものが知られている。この公報に記載された従来の除湿機は、除湿された空気を上方に送風する第１の吹出し口と、除湿された空気を側方に送風する第２の吹出し口と、第１の吹出し口と第２の吹出し口とのいずれか一方に空気を導く回転可能なルーバーとを備えている。そして、ルーバーを操作することにより、用途に応じて上方と側方の２方向に送風を切り換えることができる。
【０００３】
【発明が解決しようとする課題】
ところで、除湿機の用途は、室内を除湿するといった本来の用途以外にも、水分を含んだ様々な物に乾燥した空気を直接吹き付けて、その物を乾かすという用途も重要となってきている。例えば、干してある洗濯物に直接乾燥した空気を吹き付けて乾かしたり、湿り気を持った畳に直接乾燥した空気を吹き付けて乾かしたり、湿り気を持った押し入れに直接乾燥した空気を吹きこませて乾かすなど、多目的の使用状況に対する使い勝手の良さは非常に重要である。
【０００４】
しかしながら、上記した従来の除湿機では、乾燥した空気の吹出し方向が上方と側方の２方向に限定されるため上記のような多目的の使用状況に対する使用勝手は極めて悪いものであった。
本発明は、このような問題を解決し、多目的の使用状況に応じた吹出し気流が得られる除湿機を提供することを目的とする。
【０００５】
【課題を解決するための手段】
本発明に係る除湿機は、筐体上部に設けられた吹出し口と、吹出し口の上方に回転可能に設けられ、吹出し口から吹き出す乾燥空気の風向を変更する風向変更ルーバーと、筐体上部に設けられ、端部に向けて下方に傾斜し、風向変更ルーバーによって筐体上部に沿って進む乾燥空気を下方に導く助走壁とを備えることを特徴とする。
【０００６】
ここで、吹出し口の側方で且つ助走壁の反対側に設けられ、風向変更ルーバーの回転軌跡に沿って起立した吹出し口ダクト壁面部を更に備えることが好ましい。
【０００７】
また、風向変更ルーバーの回転角度が９０度より大きいことが好ましい。
【０００８】
さらに、助走壁の下方に配置され、除湿対象の空気を吸い込む吸込み口を更に備えることが好ましい。
【０００９】
また、助走壁は上方に突出した湾曲面形状を有することが好ましい。
【００１０】
さらに、風向変更ルーバーは助走壁と相対する面を備えていることが好ましい。
【００１１】
また、風向変更ルーバーは２枚のベーンで構成されていることが好ましい。
【００１２】
さらに、風向変更ルーバーは略水平に位置している場合の吹出し口側に配置されるベーンがもう一方のベーンに比べて面積が大きいことが好ましい。
【００１３】
また、吹出し口を介して助走壁の反対側に設けられ、風向変更ルーバーの回転角度を制御する操作部を更に備えることが好ましい。
さらに、本発明に係る吹出し口装置は、筐体上部に設けられた吹出し口と、吹出し口の上方に回転可能に設けられ、吹出し口から吹き出す空気の風向を変更する風向変更ルーバーと、筐体上部に設けられ、端部に向けて下方に傾斜し、風向変更ルーバーによって筐体上部に沿って進む空気を下方に導く助走壁とを備えることを特徴とする。
【００１４】
【発明の実施の形態】
以下、本発明に係る除湿機の好適な実施の形態について添付図面を参照して説明する。
【００１５】
実施の形態１．
図１は、実施の形態１に係る除湿機を側面から見た垂直断面図である。また、図２は、実施の形態１に係る除湿機を斜め前方から見た斜視図である。さらに、図３は、実施の形態１に係る除湿機を斜め後方から見た斜視図である。図１〜図３において、１は略直方体形状を有する筐体、２は筐体１の背面に形成され、除湿機外の空気を吸い込む吸込み口、３は吸い込んだ空気の水分を結露させる蒸発器、４は結露した水分を回収するドレンパン、５はドレンパンの下側に設けられ、ドレンパン４で回収した水分を溜めるドレンタンク、６はドレンパン４とドレンタンク５とを接続するドレン口である。
【００１６】
また、７は蒸発器３と冷凍サイクルを形成する圧縮機、８は凝縮器、９は蒸発器３および凝縮器８の下流側に設けられ、乾燥空気を上方に送る送風ファン、１０は送風ファン９を回転駆動するファンモータ、１１は送風ファン９の吸い込み側に設置されたベルマウス、１２は筐体１の上面に設けられ、送風ファン９によって上方に送られた乾燥空気を吹き出す吹出し口である。
【００１７】
さらに、１３は吹出し口１２の上方に回転可能に設けられ、吹出し口１２から吹き出す空気の風向を変更する風向変更ルーバー、１４は筐体１の上面で且つ吹出し口１２の後方に設けられ、斜め下方に直線状に傾斜する助走壁、１５は筐体１の上面で且つ吹出し口１２の前方に設けられ、風向変更ルーバー１３の回転軌跡に沿って起立した吹出し口ダクト壁面部である。
【００１８】
次に動作について図４〜図７を用いて説明する。送風ファン９がファンモータ１０の駆動により回転すると、除湿機外の空気が吸込み口２より吸い込まれ、吸い込まれた空気は蒸発器３で冷却される。冷却によって空気に含まれていた水分は結露してドレンパン４で回収され、回収された水分はドレンパン４からドレン口６を通ってドレンタンク
５に溜められる。このように蒸発器３を通過して絶対湿度の低下した空気は、次に凝縮器８で加熱される。加熱によって乾燥空気は常温に変化し、この乾燥空気はベルマウス１１および送風ファン９を通過して、吹出し口１２から吹き出す。吹出し口１２から吹き出した乾燥空気は、風向変更ルーバー１３によって風向を変更させられる。
【００１９】
図４に示すように、前方を高く傾斜させて風向変更ルーバー１３を配置した場合（状態Ａ）、吹出し口１２から吹き出した乾燥空気は斜め上前方に進行し、矢印２０に示すように斜め上吹き気流を形成する。また、図５に示すように、略垂直に風向変更ルーバー１３を配置した場合（状態Ｂ）、吹出し口１２から吹き出し乾燥空気は上方に進行し、矢印２１に示すように上吹き気流を形成する。
【００２０】
更に、図６に示すように、後方を高く傾斜させて風向変更ルーバー１３を配置した場合（状態Ｃ）、吹出し口１２から吹き出した乾燥空気は斜め上後方に進行し、矢印２２に示すように斜め上吹き気流を形成する。また、図７に示すように、略水平に風向変更ルーバー１３を配置した場合（状態Ｄ）、吹出し口１２から吹き出した乾燥空気は助走壁１４に沿って流れを形成し、矢印２３に示すように水平より下向きの斜め下吹き気流を形成する。
【００２１】
このように、吹出し口１２の上方に配置された風向変更ルーバー１３を、略水平な軸を中心に回転させて、風向変更ルーバー１３の向きを変えることにより、乾燥空気の気流を斜め上後方から斜め下前方まで幅広く変更することができる。その結果、多目的の使用状況に応じた常温乾燥吹出し気流の形成を可能とする除湿機を提供できるという効果が得られる。
【００２２】
また、吹出し口１２の後方に助走壁１４を設けているので、風向変更ルーバー１３によって後方に方向を変えた乾燥空気は、更に斜め下方に方向を変えて進行する。その結果、より広い範囲に乾燥空気を送り出すことができ、多目的の使用状況に対する使用勝手が向上する。
【００２３】
さらに、図８（ａ）〜図９（ｃ）に示すように、風向変更ルーバー１３は、上吹きの状態Ｂ（図８（ａ））から、左回りに回転して（図８（ｂ））、水平向きの状態Ｄ（図９（ｃ））に到る。この際、吹出しダクト部壁面１５が風向変更ルーバー１３の回転軌跡に沿った形状をしていなければ、風向変更ルーバー１３を回転させることはできない。そこで、吹出しダクト部壁面１５を風向変更ルーバー１３の回転軌跡に沿った形状とすることにより、単一の風向変更ルーバー１３で、上吹きから下吹きまで広範囲の吹出し気流幅を持つことが可能となった。その結果、多種多様な目的の使用状況に応じた常温乾燥吹出し気流の制御が実現され、従来の除湿機と比較して、高機能でかつ安価な除湿機を提供できるという効果が得られる。
【００２４】
また、風向変更ルーバー１３は、状態Ａから状態Ｄに到るまで、９０度より大きく回転している。このため、上方および後方のみならず、前方にも乾燥空気を送り出すことができ、非常に広範囲な吹出し気流形成が可能となった。その結果、多種多様な目的の使用状況に応じた常温乾燥吹出し気流を一台の送風ファンで送風できるため、従来の除湿機と比較し、圧倒的に高機能でかつ安価な除湿機を提供できるという効果が得られる。
【００２５】
さらに、助走壁１４の下方に吸込み口２が配置されている。このように、助走壁１４と吸込み口２とが同一の面の側に配置されているので、助走壁１４と吸込み口２とを使用者の背面側に置くことが可能となる。このため、騒音の主放射部分である助走壁１４に沿って流れる乾燥空気の気流方向と吸込み口２の方向とが、除湿機本体をはさみ使用者の反対側になり、運転時に使用者の感じる騒音値を効果的に低減させることができる。
【００２６】
実施の形態２．
次に、実施の形態２に係る除湿機を説明する。図１０は、実施の形態２の除湿機を側面から見た垂直断面図である。この実施の形態２が図１に示す実施の形態１と異なるのは、平面状の助走壁１４の代わりに、上方に盛り上がった湾曲面状の助走壁２４を備えている点である。その他の構成については実施の形態１と同一又は同等である。なお、実施の形態１と同一又は同等な構成部分については同一符号を付し、その説明は省略する。
【００２７】
図１０に示すように、助走壁２４は吹出し口１２の後方に設けられ、この助走壁２４の水平方向長さＬを、図１の助走壁１４と同一とした場合、助走壁２４の後端における壁面接線ｌと水平線ｈとのなす角度θｄが、助走壁１４に比べて大きくなるように構成されている。このため、図１１に示すように風向変更ルーバー１３を水平方向に配置した状態Ｄの場合、吹出し気流は矢印２５に示すような助走壁２４に沿って流れを形成し、水平より下向きの下吹き気流が作り出される。このとき助走壁２４は、直線形状の助走壁１４のときに比べ更に大きな下向きの角度を持つ下吹き気流を作り出す。
【００２８】
従って、従来の上吹きの吹出し気流形成のみならず非常に大きな下向き角度を持つ下吹きの吹出し気流形成も可能となり、従来に比べて吹出し気流幅を上吹きから下吹きまで非常に広範囲化とすることができる。その結果、多種多様な目的の使用状況に応じた常温乾燥吹出し気流の制御が実現され、従来の除湿機と比較して、高機能でかつ安価な除湿機を提供できるという効果が得られる。
【００２９】
実施の形態３．
次に、実施の形態３に係る除湿機を説明する。図１２は、実施の形態３の除湿機を側面から見た垂直断面図である。この実施の形態３が図１０に示す実施の形態２と異なるのは、風向変更ルーバー１３の代わりに、助走壁２４と相対する面２６ａを有する風向変更ルーバー２６を備えている点である。その他の構成については実施の形態２と同一又は同等である。なお、実施の形態２と同一又は同等な構成部分については同一符号を付し、その説明は省略する。
【００３０】
図１３に示すように、風向変更ルーバー２６を水平向きに配置した状態Ｄの場合、吹出し気流は矢印２７に示すような助走壁２４に沿って流れを形成し、水平より下向きの下吹き気流が作り出される。風向変更ルーバー２６は、助走壁２４と相対する面２６ａを有しているので、吹出し気流の主流が助走壁２４に対して、よりコアンダ効果の影響を受け易くなり、流れ全体が更に水平より下向きの下吹き気流となる。
【００３１】
図１４は実施の形態３に係る除湿機の風向と風速の関係を示すグラフである。また、図１５は実施の形態１に係る除湿機の風向と風速の関係を示すグラフである。それぞれ横軸は水平方向を０°した場合の下方向を正にとった風向角度、縦軸はそれぞれの風向角度での風速Ｖｉを平均風速平均Ｖで無次元化した値である。これによると、吹出し気流の主流を風速の一番速い角度とすると、風向変更ルーバー１３と助走壁１４が相対する面を有しない実施の形態１に係る除湿機（図１参照）の場合、その下吹き角度は、助走壁１４の後端における壁面接線ｌと水平面ｈとのなす角度θｄよりも小さくなっている。
【００３２】
一方、助走壁２４と相対する風向変更ルーバー２６の面２６ａの長さＬＲが、助走壁２４の水平方向の長さＬに対して０．２倍以上の場合、その下吹き角度は、ほぼ助走壁２４の後端における壁面接線ｌと水平面ｈとのなす角度θｄと等しくなる。即ち、風向変更ルーバー２６が助走壁２４と相対する面２６ａを備えていると、備えていない場合に比べて流れ全体が更に水平より下向きの下吹き気流となる。
【００３３】
その結果、従来の上吹きの吹出し気流形成のみならず非常に大きな下向き角度を持つ下吹きの吹出し気流形成も可能となり、従来に比べて吹出し気流幅を上吹きから下吹きまで非常に広範囲化とすることができる。その結果、多種多様な目的の使用状況に応じた常温乾燥吹出し気流の制御が実現され、従来の除湿機と比較して、高機能でかつ安価な除湿機を提供できるという効果が得られる。
【００３４】
実施の形態４．
次に、実施の形態４に係る除湿機を説明する。図１６は、実施の形態４の除湿機を側面から見た上部断面図である。この実施の形態４が図１に示す実施の形態１と異なるのは、１枚のベーンで構成される風向変更ルーバー１３の代わりに、２枚のベーンで構成される風向変更ルーバー２８を備えている点である。その他の構成については実施の形態１と同一又は同等である。なお、実施の形態１と同一又は同等な構成部分については同一符号を付し、その説明は省略する。
【００３５】
図１６に示すように、２枚のベーンで構成された風向変更ルーバー２８が水平向きに配置された場合、１枚のベーンで構成された風向変更ルーバー１３（図１参照）に比べて、風向変更ルーバー２８のほうが送風ファン９により近い位置にベーンを配置できるため、風速の速い状態で流れを偏向させることが可能となる。このため、気流が受ける偏向するためのエネルギーは大きくなり、より大きな下向きの角度を持つ下吹き気流を作り出す。
【００３６】
その結果、更に膨大な範囲の吹出し気流形成も可能となり、多種多様な目的の使用状況に応じた常温乾燥吹出し気流を一台の送風ファンで形成できるため、従来の除湿機と比較して、高機能でかつ安価な除湿機を提供できるという効果が得られる。
【００３７】
実施の形態５．
次に、実施の形態５に係る除湿機を説明する。図１７は、実施の形態５の除湿機を側面から見た上部断面図である。この実施の形態５が図１６に示す実施の形態４と異なるのは、面積のほぼ等しい２枚のベーンで構成される風向変更ルーバー２８の代わりに、面積の異なる２枚のベーンで構成される風向変更ルーバー２９を備えている点である。その他の構成については実施の形態４と同一又は同等である。なお、実施の形態４と同一又は同等な構成部分については同一符号を付し、その説明は省略する。
【００３８】
図１７に示すように、風向変更ルーバー２９を略水平に位置している場合、下側に配置されるベーン２９ａはもう一方のベーン２９ｂに比べて面積が大きい。このように、送風ファン９に近いベーン２９ａの面積が大きいため、流れが受ける偏向するためのエネルギーはより大きくなり、更に大きな下向きの角度を持つ下吹き気流を作り出す。
【００３９】
その結果、更に非常に膨大な広範囲の吹出し気流形成も可能となり、多種多様な目的の使用状況に応じた常温乾燥吹出し気流を一台の送風ファンで形成できるため、従来の除湿機と比較して、高機能でかつ安価な除湿機を提供できるという効果が得られる。
【００４０】
実施の形態６．
次に、実施の形態６に係る除湿機を説明する。図１８は、実施の形態６の除湿機を斜め前方から見た斜視図である。この実施の形態６が図２に示す実施の形態１と異なるのは、風向変更ルーバー１３の回転角度を制御する操作部３０を更に備えている点である。その他の構成については実施の形態１と同一又は同等である。なお、実施の形態１と同一又は同等な構成部分については同一符号を付し、その説明は省略する。
【００４１】
図１８に示すように、操作部３０は、吹出し口１２を介して助走壁１４の反対側に設けられている。ここで、吹出し口１２からの吹出し気流は、風向変更ルーバー１３によって主に筐体１の後方に向かうので、筐体１の前面に配置された操作部３０の近傍に吹出し気流が流れてくることはない。このため、除湿機運転中に使用者がその運転状態などを変更するために操作部３０に触れる場合、吹出し気流にさらされて不快感をもよおすことはなく、快適に運転操作ができるという効果を得られる。
【００４２】
【発明の効果】
本発明に係る除湿機は、以上のように構成されているため、次のような効果を得ることができる。
即ち、吹出し口の上方に配置された風向変更ルーバーの向きを変えることにより、乾燥空気の気流を斜め上前方から斜め下後方まで幅広く変更することができる。その結果、多目的の使用状況に応じた常温乾燥吹出し気流の形成を可能とする除湿機を提供できるという効果が得られる。
【００４３】
また、筐体上部に助走壁を設けることにより、吹出し口から吹き出した乾燥空気の方向を斜め下方に変化させることができる。その結果、より広い範囲に乾燥空気を送り出すことができ、多目的の使用状況に対する使用勝手が向上する。
【００４４】
さらに、吹出しダクト部壁面を風向変更ルーバーの回転軌跡に沿った形状とすることにより、単一の風向変更ルーバーで、上吹きから下吹きまで広範囲の吹出し気流幅を持つことが可能となる。その結果、多種多様な目的の使用状況に応じた常温乾燥吹出し気流の制御が実現され、従来の除湿機と比較して、高機能でかつ安価な除湿機を提供できるという効果が得られる。
【００４５】
また、風向変更ルーバーは９０度より大きく回転するように構成されている。このため、非常に広範囲な吹出し気流形成が可能となった。その結果、多種多様な目的の使用状況に応じた常温乾燥吹出し気流を一台の送風ファンで送風できるため、従来の除湿機と比較し、圧倒的に高機能でかつ安価な除湿機を提供できるという効果が得られる。
【００４６】
さらに、助走壁の下方に吸込み口を配置することにより、助走壁と吸込み口とを使用者の背面側に置くことが可能となる。このため、騒音の主放射部分である助走壁に沿って流れる乾燥空気の気流方向と吸込み口の方向とが、除湿機本体をはさみ使用者の反対側になり、運転時に使用者の感じる騒音値を効果的に低減させることができる。
また、本発明に係る吹出し口装置は、以上のように構成されているため、次のような効果を得ることができる。
即ち、吹出し口の上方に配置された風向変更ルーバーの向きを変えることにより、空気の気流を斜め上前方から斜め下後方まで幅広く変更することができる。その結果、多目的の使用状況に応じた常温吹出し気流の形成を可能とする吹出し口装置を提供できるという効果が得られる。
【図面の簡単な説明】
【図１】実施の形態１に係る除湿機を側面から見た垂直断面図である。
【図２】実施の形態１に係る除湿機を斜め前方から見た斜視図である。
【図３】実施の形態１に係る除湿機を斜め後方から見た斜視図である。
【図４】実施の形態１に係る除湿機の動作を示す断面図である。
【図５】実施の形態１に係る除湿機の動作を示す断面図である。
【図６】実施の形態１に係る除湿機の動作を示す断面図である。
【図７】実施の形態１に係る除湿機の動作を示す断面図である。
【図８】（ａ）（ｂ）は、風向変更ルーバーの回転軌跡を示す図である。
【図９】（ｃ）は、風向変更ルーバーの回転軌跡を示す図である。
【図１０】実施の形態２に係る除湿機を側面から見た垂直断面図である。
【図１１】実施の形態２に係る除湿機の動作を示す断面図である。
【図１２】実施の形態３に係る除湿機を側面から見た垂直断面図である。
【図１３】実施の形態３に係る除湿機の動作を示す断面図である。
【図１４】実施の形態３に係る除湿機の風向と風速の関係を示すグラフである。
【図１５】実施の形態１に係る除湿機の風向と風速の関係を示すグラフである。
【図１６】実施の形態４の除湿機を側面から見た上部断面図である。
【図１７】実施の形態５の除湿機を側面から見た上部断面図である。
【図１８】実施の形態６に係る除湿機を斜め前方から見た斜視図である。
【符号の説明】
１…筐体、２…吸込み口、３…蒸発器、４…ドレンパン、５…ドレンタンク、６…ドレン口、７…圧縮機、８…凝縮器、９…送風ファン、１０…ファンモータ、１１…ベルマウス、１２…吹出し口、１３，２６，２８，２９…風向変更ルーバー、１４，２４…助走壁、１５…吹出し口ダクト壁面部、２０，２１，２２，２３，２５，２７…矢印、２６ａ…相対する面、３０…操作部。
【図１】
0003557991.tif 000002
【図２】
0003557991.tif 000003
【図３】
0003557991.tif 000004
【図４】
0003557991.tif 000005
【図５】
0003557991.tif 000006
【図６】
0003557991.tif 000007
【図７】
0003557991.tif 000008
【図８】
0003557991.tif 000009
【図９】
0003557991.tif 000010
【図１０】
0003557991.tif 000011
【図１１】
0003557991.tif 000012
【図１２】
0003557991.tif 000013
【図１３】
0003557991.tif 000014
【図１４】
0003557991.tif 000015
【図１５】
0003557991.tif 000016
【図１６】
0003557991.tif 000017
【図１７】
0003557991.tif 000018
【図１８】
0003557991.tif 000019